(57)【要約】【課題】ナビゲーション装置だけにフラッシュプレイヤーが搭載されていることが原因となって想定される種々の問題を解決する。【解決手段】車載システム１は、ナビゲーション装置２にフラッシュプレイヤーを記憶するフラッシュプレイヤー記憶部２２が設けられると共に、車載機３にフラッシュプレイヤーを記憶するフラッシュプレイヤー記憶部３２が設けられ、ナビゲーション装置２がフラッシュプレイヤー記憶部２２に記憶されているフラッシュプレイヤーを起動する動作と、車載機３がフラッシュプレイヤー記憶部３２に記憶されているフラッシュプレイヤーを起動する動作とを独立して行うことが可能である。【選択図】図１
2011095149.tif 000002
【特許請求の範囲】
【請求項１】
フラッシュプレイヤーを記憶するナビゲーション装置側記憶手段と、前記ナビゲーション装置側記憶手段に記憶されているフラッシュプレイヤーを起動することで表示データをフラッシュプレイヤーにより再生させ、表示データをフラッシュプレイヤーにより再生させて生成した表示画面を表示手段に表示させるナビゲーション装置側制御手段とを有するナビゲーション装置と、
前記ナビゲーション装置側記憶手段とは別体に設けられ、フラッシュプレイヤーを記憶する車載機側記憶手段と、前記ナビゲーション装置側制御手段とは別体に設けられ、前記車載機側記憶手段に記憶されているフラッシュプレイヤーを起動することで表示データをフラッシュプレイヤーにより再生させ、表示データをフラッシュプレイヤーにより再生させて生成した表示画面を前記表示手段に表示させる車載機側制御手段とを有する車載機とを備え、
前記ナビゲーション装置側制御手段及び前記車載機側制御手段は、一方がフラッシュプレイヤーを起動する動作を、他方がフラッシュプレイヤーを起動する動作と独立して行うことが可能であることを特徴とする車載システム。
【請求項２】
請求項１に記載した車載システムにおいて、
前記ナビゲーション装置側制御手段は、表示対象がナビゲーション装置であることを条件として、表示データをフラッシュプレイヤーにより再生させて生成した表示画面を前記表示手段に表示させ、
前記車載機側制御手段は、表示対象が車載機であることを条件として、表示データをフラッシュプレイヤーにより再生させて生成した表示画面を前記表示手段に表示させることを特徴とする車載システム。
【請求項３】
請求項１に記載した車載システムにおいて、
フラッシュプレイヤーを外部から取得するフラッシュプレイヤー取得手段を備え、
前記車載機側制御手段は、前記車載機側記憶手段に記憶させているフラッシュプレイヤーの更新要求が発生した場合に、表示データを前記ナビゲーション装置に転送させ、外部から前記フラッシュプレイヤー取得手段により取得されたフラッシュプレイヤーを前記車載機側記憶手段に記憶させることで当該車載機側記憶手段に記憶されているフラッシュプレイヤーを更新し、
前記ナビゲーション装置側制御手段は、前記車載機から転送された表示データを前記ナビゲーション装置側記憶手段に記憶されているフラッシュプレイヤーにより再生させ、表示データをフラッシュプレイヤーにより再生させて生成した表示画面を前記表示手段に表示させることを特徴とする車載システム。
【請求項４】
請求項１に記載した車載システムにおいて、
フラッシュプレイヤーを外部から取得するフラッシュプレイヤー取得手段を備え、
前記ナビゲーション装置制御手段は、前記ナビゲーション装置側記憶手段に記憶させているフラッシュプレイヤーの更新要求が発生した場合に、表示データを前記車載機に転送させ、外部から前記フラッシュプレイヤー取得手段により取得されたフラッシュプレイヤーを前記ナビゲーション装置記憶手段に記憶させることで当該ナビゲーション装置側記憶手段に記憶されているフラッシュプレイヤーを更新し、
前記車載機側制御手段は、前記ナビゲーション装置から転送された表示データを前記車載機側記憶手段に記憶されているフラッシュプレイヤーにより再生させ、表示データをフラッシュプレイヤーにより再生させて生成した表示画面を前記表示手段に表示させることを特徴とする車載システム。
【発明の詳細な説明】
【技術分野】
【０００１】
本発明は、車両に搭載されている車載機とナビゲーション装置とを備えた車載システムに関する。
【背景技術】
【０００２】
例えば特許文献１には、Ａｄｏｂｅ社のＦｌａｓｈ（登録商標）を使用して作成されたｓｗｆファイルを表示するためのプログラムであるフラッシュプレイヤーを搭載した情報処理装置が開示されている。
【先行技術文献】
【特許文献】
【０００３】
【特許文献１】特開２００９−１４６２７８号公報
【発明の概要】
【発明が解決しようとする課題】
【０００４】
近年、車載機におけるＧＵＩ（Graphical User Interface）の技術が向上していることに伴い、フラッシュプレイヤーを搭載したナビゲーション装置が普及しつつある。又、ナビゲーション装置とは別体に車載機を搭載し、ナビゲーション装置と車載機とを連携させることで各種サービスをユーザに対して提供する車載システムが想定されている。しかしながら、このような車載システムを想定した場合に、ナビゲーション装置だけにフラッシュプレイヤーが搭載されていると、次に示すような種々の問題が発生すると想定される。
【０００５】
即ち、ナビゲーション装置と車載機とが表示装置を共用する構成を想定すると、ナビゲーション装置に搭載されているフラッシュプレイヤーをナビゲーション装置と車載機とが共用することになるので、ナビゲーション装置と車載機との間で表示切替を適切に行うことができないという問題が想定される。又、フラッシュプレイヤーが例えば機能追加やバグ改修等に応じて改良（所謂バージョンアップ）された場合にはフラッシュプレイヤーを更新するのが一般的であるが、ナビゲーション装置ではフラッシュプレイヤーを更新するよりもナビゲーション機能（経路の探索や案内等）の動作を安定させることを優先させたいという事情から、ユーザがフラッシュプレイヤーの更新を躊躇する傾向があり、車載システムとしての機能を高めることができないという問題が想定される。
【０００６】
本発明は、上記した事情に鑑みてなされたものであり、その目的は、ナビゲーション装置と車載機とが連携する構成において、ナビゲーション装置だけにフラッシュプレイヤーが搭載されていることが原因となって想定される種々の問題を解決することを可能とする車載システムを提供することにある。
【課題を解決するための手段】
【０００７】
請求項１に記載した発明によれば、ナビゲーション装置は、フラッシュプレイヤーを記憶するナビゲーション装置側記憶手段と、ナビゲーション装置側記憶手段に記憶されているフラッシュプレイヤーを起動することで表示データをフラッシュプレイヤーにより再生させ、表示データをフラッシュプレイヤーにより再生させて生成した表示画面を表示手段に表示させるナビゲーション装置側制御手段とを有して構成され、車載機は、ナビゲーション装置側記憶手段とは別体に設けられ、フラッシュプレイヤーを記憶する車載機側記憶手段と、ナビゲーション装置側制御手段とは別体に設けられ、車載機側記憶手段に記憶されているフラッシュプレイヤーを起動することで表示データをフラッシュプレイヤーにより再生させ、表示データをフラッシュプレイヤーにより再生させて生成した表示画面を表示手段に表示させる車載機側制御手段とを有して構成されている。そして、ナビゲーション装置側制御手段及び車載機側制御手段は、一方がフラッシュプレイヤーを起動する動作を、他方がフラッシュプレイヤーを起動する動作と独立して行うことが可能である。
【０００８】
これにより、ナビゲーション装置だけにフラッシュプレイヤーが搭載されている構成ではなく、ナビゲーション装置と車載機との双方にフラッシュプレイヤーが搭載されている構成とすることにより、ナビゲーション装置だけにフラッシュプレイヤーが搭載されていることが原因となって想定される種々の問題を解決することができる。
【０００９】
請求項２に記載した発明によれば、ナビゲーション装置側制御手段は、表示対象がナビゲーション装置であることを条件として、表示データをフラッシュプレイヤーにより再生させて生成した表示画面を表示手段に表示させ、車載機側制御手段は、表示対象が車載機であることを条件として、表示データをフラッシュプレイヤーにより再生させて生成した表示画面を表示手段に表示させる。
【００１０】
これにより、ナビゲーション装置及び車載機の各々の表示データを同一のフラッシュプレイヤーにより再生させることはなく、ナビゲーション装置及び車載機のうち表示対象であると判定した方が表示データを各々で独立したフラッシュプレイヤーにより再生させ、表示データをフラッシュプレイヤーにより再生させて生成した表示画面を表示手段に表示させることで、ナビゲーション装置と車載機とが表示手段を共用する構成であっても、ナビゲーション装置と車載機との間で表示切替を適切に行うことができる。
【００１１】
請求項３に記載した発明によれば、車載機側制御手段は、車載機側記憶手段に記憶させているフラッシュプレイヤーの更新要求が発生すると、表示データをナビゲーション装置に転送させ、外部からフラッシュプレイヤー取得手段により取得されたフラッシュプレイヤーを車載機側記憶手段に記憶させることで当該車載機側記憶手段に記憶されているフラッシュプレイヤーを更新し、ナビゲーション装置側制御手段は、車載機から転送された表示データをナビゲーション装置側記憶手段に記憶されているフラッシュプレイヤーにより再生させ、表示データをフラッシュプレイヤーにより再生させて生成した表示画面を表示手段に表示させる。
【００１２】
これにより、車載機に搭載されているフラッシュプレイヤーを更新する場合には、車載機の表示データをナビゲーション装置に転送させることで、車載機の表示データをナビゲーション装置に搭載されているフラッシュプレイヤーにより再生させることができながら、車載機に搭載されているフラッシュプレイヤーを更新することができ、車載システムとしての機能を高めることができる。
【００１３】
請求項４に記載した発明によれば、ナビゲーション装置制御手段は、ナビゲーション装置側記憶手段に記憶させているフラッシュプレイヤーの更新要求が発生すると、表示データを車載機に転送させ、外部からフラッシュプレイヤー取得手段により取得されたフラッシュプレイヤーをナビゲーション装置記憶手段に記憶させることで当該ナビゲーション装置側記憶手段に記憶されているフラッシュプレイヤーを更新し、車載機側制御手段は、ナビゲーション装置から転送された表示データを車載機側記憶手段に記憶されているフラッシュプレイヤーにより再生させ、表示データをフラッシュプレイヤーにより再生させて生成した表示画面を表示手段に表示させる。
【００１４】
これにより、ナビゲーション装置に搭載されているフラッシュプレイヤーを更新する場合には、ナビゲーション装置の表示データを車載機に転送させることで、ナビゲーション装置の表示データを車載機に搭載されているフラッシュプレイヤーにより再生させることができながら、ナビゲーション装置に搭載されているフラッシュプレイヤーを更新することができ、車載システムとしての機能を高めることができる。
【図面の簡単な説明】
【００１５】
【図１】本発明の一実施形態を示す機能ブロック図
【図２】ナビゲーション装置が行う処理を示すフローチャート
【図３】車載機が行う処理を示すフローチャート
【発明を実施するための形態】
【００１６】
以下、本発明の一実施形態について、図面を参照して説明する。図１は車載システムの全体構成を機能ブロック図により示している。車載システム１は、車両に搭載されているナビゲーション装置２と車載機３とを備えて構成されている。ナビゲーション装置２は、制御部２１（本発明でいうナビゲーション装置側制御手段）と、フラッシュプレイヤー記憶部２２（本発明でいうナビゲーション装置側記憶手段）と、外部インタフェース（ＩＦ）部２３と、表示部２４（本発明でいう表示手段）と、操作受付部２５と、現在位置特定部２６と、地図データベース２７とが相互接続されて構成されている。
【００１７】
制御部２１は、ＣＰＵ、ＲＡＭ及びＲＯＭ等を有し、制御プログラムを実行することでナビゲーション装置２の動作全般（データ管理動作や通信動作等）を制御する。フラッシュプレイヤー記憶部２２は、Ａｄｏｂｅ社のＦｌａｓｈ（登録商標）を使用して作成されたｓｗｆファイルを表示するためのプログラムであるフラッシュプレイヤーを記憶している。外部インタフェース部２３は、外部機器である車載機３との間でデータ転送を行う。
【００１８】
表示部２４は、例えば液晶ディスプレイ装置から構成され、制御部２１から表示指令信号を入力すると、その入力した表示指令信号に基づいた表示画面を表示する。操作受付部２５は、例えば表示部２４に表示される表示画面上に形成されるタッチスイッチ等から構成され、ユーザがタッチスイッチを操作すると（タッチスイッチに触れると）、その操作内容を示す操作検知信号を制御部２１に出力する。現在位置特定部２６は、ＧＰＳ衛星から送信されたＧＰＳ信号を受信するＧＰＳ受信機、加速度を検知する加速度センサ、走行距離を検知する距離センサ等から構成され、ＧＰＳ信号から抽出したパラメータに基づいて演算した演算結果や各種センサの検知結果を相互補完することで車両の現在位置を特定する。
【００１９】
上記したナビゲーション装置２において、制御部２１は、フラッシュプレイヤー記憶部２２に記憶されているフラッシュプレイヤーを起動することで表示データをフラッシュプレイヤーにより再生させ、表示データをフラッシュプレイヤーにより再生させて生成した表示画面を表示部２４に表示させる。又、制御部２１は、ナビゲーション機能として、地図データベース２７に格納されている地図データに対応する地図を表示部２４に表示させると共に、現在位置特定部２６により特定された車両の現在位置を表す現在位置マークを地図上に重畳表示させ、又、ユーザによる目的地を設定する操作を操作受付部２５にて受付けると、現在位置から目的地に至るまでの経路を探索して案内する等の処理を行う。尚、ナビゲーション装置２は、例えばＡＣＣ（アクセサリ）スイッチがオンしている状態で起動状態（電源オン状態）となり、ＡＣＣスイッチがオフしている状態で停止状態（電源オフ状態）となる。
【００２０】
車載機３は、制御部３１（本発明でいう車載機側制御手段）と、フラッシュプレイヤー記憶部３２（本発明でいう車載機側記憶手段）と、外部インタフェース部３３と、操作受付部３４と、ガジェット記憶部３５と、通信部３６（本発明でいうフラッシュプレイヤー取得手段）と、ＵＳＢインタフェース部３７と、車載ＬＡＮインタフェース部３８とが相互接続されて構成されている。
【００２１】
制御部３１は、ＣＰＵ、ＲＡＭ及びＲＯＭ等を有し、制御プログラムを実行することで車載機３の動作全般（データ管理動作や通信動作等）を制御する。フラッシュプレイヤー記憶部３２は、Ａｄｏｂｅ社のＦｌａｓｈを使用して作成されたｓｗｆファイルを表示するためのプログラムであるフラッシュプレイヤーを記憶している。外部インタフェース部３３は、外部機器であるナビゲーション装置２との間でデータ転送を行う。操作受付部３４は、機械的に設けられているハードスイッチ等から構成され、ユーザがハードスイッチ等を操作すると、その操作内容を示す操作検知信号を制御部３１に出力する。尚、操作受付部３４は、ナビゲーション装置２の表示部２４を上記した操作受付部２５と共用することで当該表示部２４に表示される表示画面上に形成されるタッチスイッチ等から構成されていても良い。
【００２２】
ガジェット記憶部３５は、サーバ４から例えば広域無線通信回線（移動通信回線や固定通信回線等）を介して通信部３６に受信されたガジェットや、車載機３に対して着脱可能なＵＳＢメモリ５からＵＳＢインタフェース部３７に転送されたガジェットを記憶可能に構成されている。ガジェットとはユーザが頻繁に使用するツールに簡単にアクセスすることを可能とする小規模なプログラムであり、ウィジェットとも称される。通信部３６は、サーバ６から送信されたフラッシュプレイヤーを例えば広域無線通信回線を介して受信する。
【００２３】
上記した車載機３において、制御部３１は、フラッシュプレイヤー記憶部３２に記憶されているフラッシュプレイヤーを起動することで表示データをフラッシュプレイヤーにより再生させ、表示データをフラッシュプレイヤーにより再生させて生成した表示画面を外部インタフェース部３３からナビゲーション装置２に転送させて表示部２４に表示させる。尚、車載機３も、例えばＡＣＣ（アクセサリ）スイッチがオンしている状態で起動状態（電源オン状態）となり、ＡＣＣスイッチがオフしている状態で停止状態（電源オフ状態）となる。
【００２４】
上記した車載システム１では、ナビゲーション装置２と車載機３とは表示部２４を共用するように構成されている。又、ナビゲーション装置２の制御部２１がフラッシュプレイヤー記憶部２２に記憶されているフラッシュプレイヤーを起動する動作と、車載機３の制御部３１がフラッシュプレイヤー記憶部３２に記憶されているフラッシュプレイヤーを起動する動作とを独立して行うことが可能に構成されている。
【００２５】
次に、上記した構成の作用について、図２及び図３を参照して説明する。図２はナビゲーション装置２が行う処理をフローチャートにより示しており、図３は車載機３が行う処理をフローチャートにより示している。以下、これらを順次説明する。
【００２６】
（１）ナビゲーション装置２が行う処理
ナビゲーション装置２において、制御部２１は、例えばＡＣＣスイッチがオンしていることで電源オン状態にあるときには、フラッシュプレイヤー記憶部２２に記憶されているフラッシュプレイヤーを起動する（ステップＳ１）。そして、制御部２１は、表示対象の装置がナビゲーション装置２であるか（自装置であるか）否かを判定し（ステップＳ２）、フラッシュプレイヤーの更新要求が発生したか否かを判定し（ステップＳ３）、車載機３から表示データが転送されたか否かを判定する（ステップＳ４）。
【００２７】
ここで、制御部２１は、例えばユーザが表示対象の装置をナビゲーション装置２に切替える操作を操作受付部２５にて行ったことに応じて、表示対象の装置がナビゲーション装置２であると判定すると（ステップＳ２にて「ＹＥＳ」）、表示データをフラッシュプレイヤー記憶部２２に記憶されているフラッシュプレイヤーにより再生させ、表示データをフラッシュプレイヤーにより再生させて生成した表示画面を表示部２４に表示させ（ステップＳ５）、上記したステップＳ２〜Ｓ４に戻る。尚、制御部２１は、表示対象の装置がナビゲーション装置２であると判定すると、表示対象の装置がナビゲーション装置２であることを外部インタフェース部２３から車載機３に通知する。
【００２８】
又、制御部２１は、例えばユーザがフラッシュプレイヤーを更新させる操作を操作受付部２５にて行ったことに応じて、フラッシュプレイヤーの更新要求が発生したと判定すると（ステップＳ３にて「ＹＥＳ」）、表示データを外部インタフェース部２３から車載機２に転送させる（ステップＳ６）。そして、制御部２１は、サーバ６からフラッシュプレイヤーを通信部３６により受信させ（ステップＳ７）、サーバ６から通信部３６に受信させたフラッシュプレイヤーを外部インタフェース部３３から転送させてフラッシュプレイヤー記憶部２２に記憶させることで、フラッシュプレイヤー記憶部２２に記憶されているフラッシュプレイヤーを更新し（ステップＳ８）、上記したステップＳ２〜Ｓ４に戻る。
【００２９】
更に、制御部２１は、車載機３から表示データが転送されたと判定すると（ステップＳ４にて「ＹＥＳ」）、車載機３から転送された表示データをフラッシュプレイヤー記憶部２２に記憶されているフラッシュプレイヤーにより再生させ、表示データをフラッシュプレイヤーにより再生させて生成した表示画面を表示部２４に表示させ（ステップＳ９）、上記したステップＳ２〜Ｓ４に戻る。
【００３０】
（２）車載機３が行う処理
車載機３において、制御部３１は、例えばＡＣＣスイッチがオンしていることで電源オン状態にあるときには、フラッシュプレイヤー記憶部３２に記憶されているフラッシュプレイヤーを起動する（ステップＴ１）。そして、制御部３１は、表示対象の装置が車載機３であるか（自機であるか）否かを判定し（ステップＴ２）、フラッシュプレイヤーの更新要求が発生したか否かを判定し（ステップＴ３）、ナビゲーション装置２から表示データが転送されたか否かを判定する（ステップＴ４）。
【００３１】
ここで、制御部３１は、例えばユーザが表示対象の装置を車載機３に切替える操作を操作受付部３４にて行ったことに応じて、表示対象の装置が車載機３であると判定すると（ステップＴ２にて「ＹＥＳ」）、表示データをフラッシュプレイヤー記憶部３２に記憶されているフラッシュプレイヤーにより再生させ、表示データをフラッシュプレイヤーにより再生させて生成した表示画面を外部インタフェース部３３からナビゲーション装置２に転送させて表示部２４に表示させ（ステップＴ５）、上記したステップＴ２〜Ｔ４に戻る。尚、制御部３１は、表示対象の装置が車載機３であると判定すると、表示対象の装置が車載機３であることを外部インタフェース部３３からナビゲーション装置２に通知する。
【００３２】
又、制御部３１は、例えばユーザがフラッシュプレイヤーを更新させる操作を操作受付部３４にて行ったことに応じて、フラッシュプレイヤーの更新要求が発生したと判定すると（ステップＴ３にて「ＹＥＳ」）、表示データを外部インタフェース部３３からナビゲーション装置３に転送させる（ステップＴ６）。そして、制御部３１は、サーバ６からフラッシュプレイヤーを通信部３６により受信させ（ステップＴ７）、サーバ６から通信部３６に受信させたフラッシュプレイヤーをフラッシュプレイヤー記憶部３２に記憶させることで、フラッシュプレイヤー記憶部３２に記憶されているフラッシュプレイヤーを更新し（ステップＴ８）、上記したステップＴ２〜Ｔ４に戻る。
【００３３】
更に、制御部３１は、ナビゲーション装置２から表示データが転送されたと判定すると（ステップＴ４にて「ＹＥＳ」）、ナビゲーション装置２から転送された表示データをフラッシュプレイヤー記憶部３２に記憶されているフラッシュプレイヤーにより再生させ、表示データをフラッシュプレイヤーにより再生させて生成した表示画面を外部インタフェース部３３からナビゲーション装置２に転送させて表示部２４に表示させ（ステップＴ９）、上記したステップＴ２〜Ｔ４に戻る。
【００３４】
以上に説明したように本実施形態によれば、車載システム１において、ナビゲーション装置２にフラッシュプレイヤーを記憶するフラッシュプレイヤー記憶部２２が設けられると共に、車載機３にフラッシュプレイヤーを記憶するフラッシュプレイヤー記憶部３２が設けられ、ナビゲーション装置２がフラッシュプレイヤー記憶部２２に記憶されているフラッシュプレイヤーを起動する動作と、車載機３がフラッシュプレイヤー記憶部３２に記憶されているフラッシュプレイヤーを起動する動作とを独立して行うことが可能に構成したので、ナビゲーション装置２だけにフラッシュプレイヤーが搭載されていることが原因となって想定される種々の問題を解決することができる。
【００３５】
即ち、ナビゲーション装置２及び車載機３の表示データを同一のフラッシュプレイヤーにより再生させることはなく、ナビゲーション装置２及び車載機３のうち表示対象であると判定した方が表示データを各々で独立したフラッシュプレイヤーにより再生させ、表示データをフラッシュプレイヤーにより再生させて生成した表示画面を表示部２４に表示させるように構成したので、ナビゲーション装置２と車載機３とが表示部２４を共用する構成であっても、ナビゲーション装置２と車載機３との間で表示切替を適切に行うことができる。
【００３６】
又、車載機３にてフラッシュプレイヤーの更新要求が発生すると、表示データをナビゲーション装置２に転送させ、サーバ６から通信部３６に受信されたフラッシュプレイヤーをフラッシュプレイヤー記憶部３２に記憶させることで当該フラッシュプレイヤー記憶部３２に記憶されているフラッシュプレイヤーを更新し、ナビゲーション装置２が車載機３から転送された表示データをフラッシュプレイヤー記憶部２２に記憶されているフラッシュプレイヤーにより再生させるように構成したので、車載機３の表示データをナビゲーション装置２に搭載されているフラッシュプレイヤーにより再生させることができながら、車載機３に搭載されているフラッシュプレイヤーを更新することができ、車載システム１としての機能を高めることができる。
【００３７】
即ち、フラッシュプレイヤーが例えば機能追加やバグ改修等に応じて改良（所謂バージョンアップ）された場合にはフラッシュプレイヤーを更新するのが一般的であるが、ナビゲーション装置２ではフラッシュプレイヤーを更新するよりもナビゲーション機能（経路の探索や案内等）の動作を安定させることを優先させたいという事情から、ユーザがフラッシュプレイヤーの更新を躊躇する傾向があるが、ナビゲーション装置２に搭載されているフラッシュプレイヤーを更新することなく、車載機３に搭載されているフラッシュプレイヤーを更新することにより、ナビゲーション装置２の動作を安定させながら、車載システム１としての機能を高めることができる。
【００３８】
又、これとは反対に、ナビゲーション装置２にてフラッシュプレイヤーの更新要求が発生すると、表示データを車載機３に転送させ、サーバ６から通信部３６に受信されたフラッシュプレイヤーをフラッシュプレイヤー記憶部２２に記憶させることで当該フラッシュプレイヤー記憶部２２に記憶されているフラッシュプレイヤーを更新し、車載機３がナビゲーション装置２から転送された表示データをフラッシュプレイヤー記憶部３２に記憶されているフラッシュプレイヤーにより再生させるように構成したので、ナビゲーション装置２の表示データを車載機３に搭載されているフラッシュプレイヤーにより再生させることができながら、ナビゲーション装置２に搭載されているフラッシュプレイヤーを更新することができ、車載システム１としての機能を高めることができる。
【００３９】
本発明は、上記した実施形態にのみ限定されるものではなく、以下のように変形又は拡張することができる。
サーバからフラッシュプレイヤーを受信する通信部が車載機に設けられている構成に限らず、通信部がナビゲーション装置に設けられている構成であっても良い。
【符号の説明】
【００４０】
図面中、１は車載システム、２はナビゲーション装置、３は車載機、２１は制御部（ナビゲーション装置側制御手段）、２２はフラッシュプレイヤー記憶部（ナビゲーション装置側記憶手段）、２４は表示部（表示手段）、３１は制御部（車載機側制御手段）、３２はフラッシュプレイヤー記憶部（車載機側記憶手段）、３６は通信部（フラッシュプレイヤー取得手段）である。
【図１】
2011095149.tif 000003
【図２】
2011095149.tif 000004
【図３】
2011095149.tif 000005